(57)【特許請求の範囲】
【請求項１】
環境を照明する照明システムであって、
複数の照明モジュールであって、前記照明モジュールは、光を発する光源、前記光源の動作を制御するプログラマブルコントローラ、並びに前記照明モジュールがネットワークを介して前記照明システムの他の前記照明モジュール及び前記照明システム内の他の装置と通信することを可能にするネットワーク・インターフェースを有し、前記照明モジュールは、前記ネットワーク・インターフェースを介して前記プログラマブルコントローラのためのプログラムを受け取ると共に、プログラム・インストール決定に依存して前記プログラマブルコントローラにおける前記プログラムをインストールするように構成されており、前記複数の照明モジュールは、特定の照明モジュールと、前記特定の照明モジュールと共に環境の一部を照明する少なくとも１つの隣接する照明モジュールとを有している、複数の照明モジュールと、
前記特定の照明モジュールの前記プログラマブルコントローラにおける前記プログラムのインストールを開始するためのプログラム・インストール決定を生成するインストール決定発生器であって、前記隣接する照明モジュールの発光動作に関する動作上の情報を取得するように構成されているインストール決定発生器において、前記環境の一部の照明が、前記プログラムのインストール動作中の期間において前記環境の一部の所望の照明に十分に近いものであることを可能にするために、前記プログラム・インストール決定を、取得した前記動作上の情報を含む情報に基づかせるように構成されているインストール決定発生器と、
を有する照明システム。
【請求項２】
前記隣接する照明モジュールへの発光適応命令を生成する命令発生器であって、生成された前記発光適応命令は、前記環境の一部の照明が、前記プログラムがインストールされている期間において、前記環境の一部の前記所望の照明に十分に近いものであることを可能にするように、前記プログラムのインストール動作中、前記特定の照明モジュールの発光レベルを補償するように前記隣接する照明モジュールの発光の所望の変化を示す、命令発生器を有する請求項１に記載の照明システム。
【請求項３】
前記インストール決定発生器及び前記命令発生器は互いに結合されており、前記インストール決定発生器及び前記命令発生器は、前記環境の一部の照明が、前記プログラムのインストール動作中の期間において前記環境の一部の前記所望の照明に十分に近いものであることを可能にするように、前記動作上の情報を共有すると共に、前記プログラム・インストール決定の生成及び前記発光適応命令の生成において協働する、請求項２に記載の照明システム。
【請求項４】
前記特定の照明モジュールは、前記インストール決定発生器を有する、請求項１に記載の照明システム。
【請求項５】
前記隣接する照明モジュールも、前記インストール決定発生器のインスタンスを有しており、各インストール決定発生器は、それぞれの前記インストール決定発生器が取り付けられている対応する前記照明モジュールの対応する前記プログラマブルコントローラにおける前記プログラムのインストールを開始するように前記プログラム・インストール決定を生成する、請求項４に記載の照明システム。
【請求項６】
前記特定の照明モジュール及び前記隣接する照明モジュールのそれぞれの前記インストール決定発生器は、対応する前記ネットワーク・インターフェースを介して互いと通信するように構成されており、前記特定の照明モジュールの前記インストール決定発生器は、前記プログラム・インストール決定が生成されたとき、前記隣接する照明モジュールに決定メッセージを送信し、前記隣接する照明モジュールの前記インストール決定発生器は、前記決定メッセージを受け取り、前記隣接する照明モジュールの前記インストール決定発生器は、前記決定メッセージが受け取られたとき、自身の対応するプログラム・インストール決定の生成を後の時点まで延期する、請求項５に記載の照明システム。
【請求項７】
中央ユニットであって、前記中央ユニットが前記ネットワークを介して前記照明システムの前記照明モジュール及び前記照明システム内の他の装置と通信することを可能にするネットワーク・インターフェースと、前記インストール決定発生器とを有する前記中央ユニットであり、自身の対応するネットワーク・インターフェースを介して生成された前記プログラム・インストール決定を前記特定の照明モジュールに伝達する前記中央ユニットを有する、請求項１に記載の照明システム。
【請求項８】
請求項２に記載の照明システムであって、
前記特定の照明モジュールが前記命令発生器を有し、前記特定の照明モジュールは、自身の対応する前記ネットワーク・インターフェースを介して、生成された前記発光適応命令を前記隣接する照明モジュールに伝達する、又は
前記隣接する照明モジュールが前記命令発生器を有する、
照明システム。
【請求項９】
前記隣接する照明モジュールへの発光適応命令を生成する命令発生器であって、生成された前記発光適応命令は、前記環境の一部の照明が、前記プログラムがインストールされている期間において、前記環境の一部の前記所望の照明に十分に近いものであることを可能にするように、前記プログラムのインストール動作中、前記特定の照明モジュールの発光レベルを補償するように前記隣接する照明モジュールの発光の所望の変化を示す、命令発生器を有する請求項１に記載の照明システムであって、
中央ユニットであって、前記中央ユニットが前記ネットワークを介して前記照明システムの前記照明モジュール及び前記照明システム内の他の装置と通信することを可能にするネットワーク・インターフェースと、前記インストール決定発生器とを有すると共に、自身の対応するネットワーク・インターフェースを介して生成された前記プログラム・インストール決定を前記特定の照明モジュールに伝達する中央ユニットを有する照明システムにおいて、
−  前記特定の照明モジュールが前記命令発生器を有し、前記特定の照明モジュールは、自身の対応する前記ネットワーク・インターフェースを介して、生成された前記発光適応命令を前記隣接する照明モジュールに伝達する、
−  前記隣接する照明モジュールが前記命令発生器を有する、又は
−  前記中央ユニットが前記命令発生器を有し、前記中央ユニットは、自身の対応する前記ネットワーク・インターフェースを介して、生成された前記発光適応命令を前記隣接する照明モジュールに伝達する、
照明システム。
【請求項１０】
前記動作上の情報は、前記動作上の情報が取得された時点における前記隣接する照明モジュールの前記光源による実際の発光と比較して、前記隣接する照明モジュールの前記光源により発される光の量を変化させるための前記隣接する照明モジュールの性能に関する情報を有し、前記インストール決定発生器は、前記動作上の情報が、前記プログラムのインストールの間に前記隣接する照明モジュールが前記特定の照明モジュールの発光を補償することができると示す場合のみ、前記プログラム・インストール決定を生成する、請求項１に記載の照明システム。
【請求項１１】
前記命令発生器は、前記プログラムのインストールの間の前記特定の照明モジュールの発光に関する知識を取得する又は記憶し、前記命令発生器は、前記環境の一部の前記所望の照明に関する情報を取得する又は記憶し、前記命令発生器は、前記特定の照明モジュールが前記プログラムをインストールしているとき、前記環境の一部の照明が前記環境の一部の前記所望の照明からどれくらい逸脱するかを計算し、計算された逸脱は、前記発光適応命令の示された所望の変更を生成するために使用される、請求項２に記載の照明システム。
【請求項１２】
前記環境の一部の前記所望の照明を決定する所望照明決定器を有する、請求項１に記載の照明システムであって、
前記特定の照明モジュール及び前記隣接する照明モジュールのうちの少なくとも一方は、前記特定の照明モジュール及び前記隣接する照明モジュールの前記少なくとも一方の前記光源により照明される領域内に人が存在するかどうかを検出する占有センサを有し、
前記所望照明決定器は、前記占有センサにより検出される情報に依存して前記環境の一部の前記所望の照明を適応化させる、
照明システム。
【請求項１３】
請求項１２に記載の照明システムであって、
前記所望照明決定器は、前記環境の一部の前記所望の照明を前記インストール決定発生器に供給する、
照明システム。
【請求項１４】
前記隣接する照明モジュールへの発光適応命令を生成する命令発生器であって、生成された前記発光適応命令は、前記環境の一部の照明が、前記プログラムがインストールされている期間において、前記環境の一部の前記所望の照明に十分に近いものであることを可能にするように、前記プログラムのインストール動作中、前記特定の照明モジュールの発光レベルを補償するように前記隣接する照明モジュールの発光の所望の変化を示す、命令発生器を有する請求項１に記載の照明システムであって、
前記照明システムは、前記環境の一部の前記所望の照明を決定する所望照明決定器を有し、
前記特定の照明モジュール及び前記隣接する照明モジュールのうちの少なくとも一方は、前記特定の照明モジュール及び前記隣接する照明モジュールの前記少なくとも一方の前記光源により照明される領域内に人が存在するかどうかを検出する占有センサを有し、
前記所望照明決定器は、前記占有センサにより検出される情報に依存して前記環境の一部の前記所望の照明を適応化させる、
前記照明システムにおいて、
前記所望照明決定器は、前記環境の一部の前記所望の照明を前記インストール決定発生器に供給する、又は
前記所望照明決定器は、前記環境の一部の前記所望の照明を前記インストール決定発生器及び前記命令発生器に供給する、
照明システム。
【請求項１５】
請求項１３又は１４に記載の照明システムであって、
前記特定の照明モジュールが前記所望照明決定器を有する、又は
前記隣接する照明モジュールが前記所望照明決定器を有する
照明システム。
【請求項１６】
前記特定の照明モジュールは、前記インストール決定発生器を有し、
前記隣接する照明モジュールも、前記インストール決定発生器のインスタンスを有しており、各インストール決定発生器は、それぞれの前記インストール決定発生器が取り付けられている対応する前記照明モジュールの対応する前記プログラマブルコントローラにおける前記プログラムのインストールを開始するように前記プログラム・インストール決定を生成する、請求項１３又は１４に記載の照明システムであって、
−  前記特定の照明モジュールが前記所望照明決定器を有する、
−  前記隣接する照明モジュールが前記所望照明決定器を有する、又は
−  前記中央ユニットが前記所望照明決定器を有する、
照明システム。
【請求項１７】
照明システムの特定の照明モジュールのプログラマブルコントローラにおけるプログラムのインストールを開始する方法であって、前記照明システム内には前記特定の照明モジュールに隣接する照明モジュールが存在し、前記隣接する照明モジュールは前記特定の照明モジュールと共に環境の一部を照明する、方法において、
前記隣接する照明モジュールの発光動作に関する動作上の情報を取得するステップと、
前記特定の照明モジュールの前記プログラマブルコントローラにおける前記プログラムのインストールを開始するためのプログラム・インストール決定を生成するステップであって、前記プログラム・インストール決定の生成は、前記環境の一部の照明が、前記プログラムがインストールされている期間において、前記環境の一部の所望の照明に十分に近いことを可能にするために、取得された前記動作上の情報を含む情報に基づいている、ステップと、
前記プログラム・インストール決定が生成されたとき、前記特定の照明モジュールの前記プログラマブルコントローラにおける前記プログラムの前記インストールを開始するステップと、
を有する方法。
【請求項１８】
前記照明システムに請求項１７に記載の方法を実行させるための指示を含んでいるコンピュータプログラム。
【発明の詳細な説明】
【技術分野】
【０００１】
本発明は、プログラマブルコントローラにより提供される照明モジュールを有する照明装置に関する。本発明は、更に、特定の照明モジュールのプログラマブルコントローラのプログラムのアップグレードを開始する方法に関する
【背景技術】
【０００２】
現代の照明システムにおいて、照明モジュールは、照明モジュールの動作を制御するプログラマブルコントローラを有することができる。この動作は、例えば、照明モジュールの光源の光発の制御を含む。プログラマブルコントローラを備える照明モジュールは、ネットワークに接続されることができ、前記照明モジュールは、プログラマブルコントローラにより実行されるプログラムのアップデートを受け取ることができる。
【０００３】
公表されている米国特許出願第２００７／０２６８１５１号は、このような照明システムに関し、照明装置をプログラムする方法を開示している。当該方法は、光源を有する照明装置の動作をプログラムするのに使用される。前記照明装置は、ファームウェアと光源を動作させるための外部制御コマンドを受け取るためのインターフェースとを有している。この方法は、付加的情報をインターフェースに送信することによって動作中の装置又は前記インターフェースのファームウェアを少なくとも部分的にプログラムすることを含んでいる。
【発明の概要】
【発明が解決しようとする課題】
【０００４】
上述の引用された特許出願において、新しいファームウェアが照明装置の通常の動作を中断することなく送信されることができることが示唆されている。実際の実施例において、当該照明装置が十分に動作可能である間、新しいファームウェアのインストールはなされることができない。今日、照明装置は、光源がしばしばスイッチを切られるアップグレード動作モードに切替えられる。光源のスイッチを切ることは、多くの状況において非常に不都合であり、最小限の照明レベルが保証されなければならない望ましくない特定の状況においてさえも、非常に不都合である。例えば、道路トンネルにおいて、道路トンネルの通常の運用の間、前記光源が照明モジュールにおける新しいソフトウェアをインストールするためにスイッチを切られることは、望ましくない。
【０００５】
本発明の目的は、プログラマブルコントローラを有する照明モジュールを備える照明装置であって、前記照明装置は、アップグレードされたソフトウェアが特定の照明モジュールにインストールされなければならない場合でさえも、十分な機能を提供することがより良好に可能である照明装置を提供することにある。
【課題を解決するための手段】
【０００６】
本発明の第１の見地は、環境を照明する照明システムを提供する。本発明の第２の見地は、特定の照明モジュールのプログラマブルコントローラのプログラムのアップグレードを開始する方法を提供する。本発明の第３の見地は、コンピュータプログラムを提供する。有利な実施例は、添付の従属請求項において規定される。
【０００７】
本発明の第1の見地によれば、照明システムが提供される。前記照明システムは、環境を照明するために使用される。本発明の第1の見地による照明装置は、複数の照明モジュール及びインストール決定発生器を有する。前記照明モジュールは、光を発する光源と、光源の動作を制御するプログラマブルコントローラと、前記照明モジュールがネットワークを介して前記照明システムの他の照明モジュール及び／又は装置と通信することを可能にするネットワーク・インターフェースとを有する。前記照明モジュールは、前記ネットワーク・インターフェースを介して前記プログラマブルコントローラのためのプログラムを受け取り、プログラム・インストール決定に依存して前記プログラムをプログラマブルコントローラ上にインストールする。複数の前記照明モジュールは、特定の照明モジュール及び少なくとも１つの隣接する照明モジュールを有する。前記隣接する照明モジュールは、特定の照明モジュールと一緒に、照明されるべき環境の一部を照明する。前記インストール決定発生器は、前記特定の照明モジュールのプログラマブルコントローラ上のプログラムにおけるインストールを開始するためのプログラム・インストール決定を生成するのに使用される。前記インストール決定発生器は、隣接する照明モジュールの発光動作に関する動作上の情報を取得し、プログラム・インストール決定を、前記プログラムがインストールされている期間において前記環境の一部の照明が前記環境の一部の所望の照明に十分に近いものであることができるかどうかに関する、取得された前記動作上の情報を有する、情報に基づかせる。
【０００８】
多くの照明システムにおいて、照明されるべき前記環境の一部は、例えば、特定の照明モジュール及び隣接する照明モジュールから、直接又は間接的に２つ以上の照明モジュールから光を受け取る。上述したように、特定の照明モジュールがプログラマブルコントローラの前記プログラムのアップデートを開始しなければならない場合、前記特定の照明モジュールは、もはや十分に動作可能ではなく、結果として、前記特定の照明モジュールは、前記照明モジュールの光源のスイッチを切る、又は発される光の量を特定の固定されたレベルに制御することになる。このことは、結果として、照明されるべき環境の一部がもはや十分に照明されない状況をもたらし得る。例えば、前記光源がスイッチを切られる場合、前記照明レベルはあまりに低くなり得る。他の例において、前記環境の一部の所望の照明が動的に制御される場合、発される光の量を特定の固定されたレベルに固定することは、結果として、前記照明システムの性能がこのような動的に制御される照明パターンに従うことができず、従って、低すぎるレベルの照明又は高すぎるレベルの照明の可能性をもたらし得る。本発明による照明システムにおいて、前記インストール決定発生器は、前記照明システムが照明されるべき前記環境の一部を十分に照明することができないことを防止するために、前記特定の照明モジュールのプログラマブルコントローラにおけるプログラムのインストールを開始するための前記プログラム・インストール決定を生成する（又は生成しない）場合、隣接する照明モジュールの情報の動作上の照明情報を考慮に入れる。従って、前記隣接する照明モジュールの動作上の情報は、前記隣接する照明モジュールが、例えば、壊れている又は自身のソフトウェアをアップデートしていることを示している場合、前記インストール決定発生器は、照明されるべき前記環境の一部が十分な光を受け取らないことを防止するために前記プログラム・インストール決定を生成しないことを決定することができる。例えば、前記隣接する照明モジュールの動作上の情報が、前記隣接する照明モジュールが発光のレベルを増大させる及び／又は減少させることができることを示している場合、前記インストール決定発生器は、前記プログラム・インストール決定を生成することを決定することができる。なぜならば、前記特定の照明モジュールの光源が、前記プログラムをインストールする工程の間、スイッチを切られる又は固定された照明レベルに制御される場合さえも、前記隣接する照明モジュールは、発される光の損失又は発される多量の光を補償することができるからである。
【０００９】
従って、前記照明システムは、当該照明システムの提供される性能が、新しいソフトウェアが前記照明システムの前記照明モジュール上にインストールされなければならない時点において低過ぎることを防止するフィーチャ及び特徴を有する。
【００１０】
前記プログラム・インストール決定は、前記特定の照明モジュールに関する。前記インストール決定発生器は、前記隣接する照明モジュールの動作上の情報を必要とする。これは、前記決定が基づく最小限の量の情報であるが、より多くの情報が、前記インストール決定発生器により使用されることができる。このような付加的な情報は、例えば、特定の時点において受け取られる日光、又は人の存在等に関する情報等である。
【００１１】
「照明されるべき環境の一部の所望の照明に十分に近い」とは、前記環境の一部の照明が所望の照明に正確に等しいことを直接的に意味するのではないが、当該ソフトウェア・アップデートの間に提供される当該照明は、所望の照明の周りの範囲内にあり、前記範囲とは、所望の照明からの最小及び最大の逸脱を規定するものである。前記範囲は、所定の範囲であっても良く、絶対値又は相対的な特性の何れおいても表されても良い。他の実施例において、当該照明は、最小限の照明が提供されるべきである場合、所望の照明に十分に近い。例えば、自動車のトンネルにおいて、（特定の照明モジュールをアップデートする工程の間）道路の各一部の中の最小限の照明レベルがなければならず、前記照明は、前記最小限の照明レベルよりも大きい場合、前記所望の照明に十分に近い。
【００１２】
上述において、「所望の照明」なる語は、照明されるべき前記環境の一部に影響を与える光の強度レベル及び／又は前記照明されるべき環境の一部に影響を与える光の特定の色分布を示すのに使用されている。
【００１３】
前記環境の一部は、少なくとも前記特定の照明モジュールにより照明され、更に隣接する照明モジュールからの光を受け取る。このことは、前記隣接する照明モジュールが、前記環境の一部の外側における領域を照明することを除外するものではなく、前記特定の照明モジュールさえも、場合によっては他の領域に向かって光を発し得る。本発明の状況において、照明されるべき前記環境の一部が、特定の及び隣接する照明モジュールから光を受け取り、照明されるべき前記環境の一部のための所望の照明が提供されることが重要である。
【００１４】
前記照明モジュールは、単一の照明器具に組み込まれることができ、他の実施例において、１つ以上の照明モジュールが単一の照明器具に組み込まれることができる。本発明による照明システムは、好ましくは複数の照明器具を有する。
【００１５】
前記照明モジュールは、照明システムの他の装置及び／又は照明モジュールと通信するネットワーク・インターフェースを有する。前記照明モジュール内において、前記ネットワーク・インターフェースは、前記照明モジュールの他のモジュールによってアクセス可能である。例えば、前記プログラマブルコントローラは、前記ネットワーク・インターフェースを介して通信するように構成されている。又は、例えば、前記インストール決定発生器が前記照明モジュール内に配されている場合、前記インストール決定発生器は、前記ネットワーク・インターフェースを介して当該照明システムの他の装置及び／又は照明モジュールと通信しても良い。
【００１６】
前記特定の照明モジュールによって受け取られるプログラムであって、前記プログラマブルコントローラにおいてインストールされなければならないプログラムは、前記プログラマブルコントローラのための新しいプログラムであっても良く、前記プログラマブルコントローラ上の既にインストールされたプログラムのアップデート／アップグレードであっても良い。
【００１７】
任意には、前記照明システムは、照明モジュールのネットワーク・インターフェースへの接続のためのネットワークを有する。
【００１８】
前記ネットワークは、有線ネットワーク又は無線ネットワークであっても良い。有線ネットワークは、ネットワーク・インフラストラクチャを形成する専用のワイヤを有することができるが、有線ネットワークは、電力線共有を使用することもでき、このことは、送信されるべき信号が照明モジュールが接続されている電力線を介して送信されることを意味する。無線ネットワークは、ＷｉＦｉ、ＺｉｇＢｅｅ、ブルートゥース等のような、既知の無線通信プロトコルに基づいても良い。前記無線ネットワークは、照明システムのために設計される専用のプロトコルに基づいても良い。
【００１９】
任意には、前記インストール決定発生器は、どの照明モジュールが前記特定の照明モジュールの隣接する照明モジュールであるかに関する知識を記憶する及び／又は取得するように構成される。前記インストール決定発生器は、特定の装置の隣接する装置であると考慮される装置のリストを記憶することができる。このようなリストは、照明システムが取り付けられる時点において予め定義されていても良い。他の実施例において、当該照明システムの照明モジュールは、コンテクスト・アウェア（context aware）のものであって、例えば、隣接発見プロトコルによって、直接隣接する照明モジュールを発見することが可能である。「隣接」とは、この文脈において、物理的に近い装置に関するものであり、「隣接」なる語に対する唯一の真に重要な制限は、「隣接」する装置及び特定の装置の両方が、照明されるべき前記環境の一部に向かって（直接的に又は間接的に）光を発するということに留意されたい。照明システムにおいて、隣接発見プロトコルは、発されたＲＦ信号の信号強度が、どの装置が可能性が隣接するものであり得るかについて決定する無線ネットワーク隣発見プロトコルに基づいても良い。照明システムにおいて、隣接発見プロトコルは、発された符号化光信号及びこのような信号の検出に基づいても良く、信号が当該特定の照明モジュールにより検出されることができるという事実は、符号化光信号の発光体が前記特定の照明モジュールの近くであることを示し、符号化光信号の光強度は、符号化光信号の発光体までのあり得る距離を検出するのに使用されることができる。
【００２０】
任意には、照明システムは、隣接する照明モジュールのための発光適応命令を生成する命令発生器を有する。生成された発光適応命令は、プログラムのインストールの間、前記環境の一部の照明が前記環境の一部の所望の照明に十分に近いことを可能にするように、特定の照明モジュールの発光レベルを補償するために、隣接する照明モジュールの発光の所望の変化を示す。従って、生成される前記光発光命令は、前記環境の一部が前記所望の照明に従って十分に照明されるような仕方において、生成される。従って、インストール決定発生器が、前記環境の一部の照明が当該プログラムのインストールの間に補償されることができることを示す動作上の情報に基づいてプログラム・インストール決定を生成する場合、前記命令発生器は、前記特定の照明モジュールの機能の欠如が実際に補償されるように前記隣接する照明モジュールを制御するための命令を生成する。
【００２１】
前記照明システムは、前記特定の照明モジュールと前記環境の一部を照明する複数の隣接する照明モジュールを有しても良い。このような状況において、前記命令発生器は、全ての隣接する照明モジュールのための前記発光適応命令を生成するように構成されることができる。
【００２２】
本明細書において後述されるように、前記インストール決定発生器及び前記命令発生器は、当該照明システムの異なるモジュール／装置内に、又は当該照明システムの同一のモジュール若しくは装置内に配されることができ、特定の実施例において、これらは、ハードウェアの単一部に組み込まれることさえできる。
【００２３】
任意には、前記インストール決定発生器及び前記命令発生器は、互いに結合されており、前記インストール決定発生器及び前記命令発生器は、前記プログラムがインストールされている期間において、前記環境の一部の照明が前記環境の一部の所望の照明に十分に近いものであることを可能にするように、前記動作上の情報を共有すると共に、プログラム・インストール決定の生成及び適応命令の生成において協働するように構成されている。この結合は、ネットワークを介して行われることができ、前記インストール決定発生器及び前記命令発生器は、照明システムの異なる照明モジュール又は異なる装置内に配される場合であるかもしれないことに留意されたい。
【００２４】
任意には、前記特定の照明モジュールは、前記インストール決定発生器を有する。
【００２５】
任意には、前記隣接する照明モジュールも、前記インストール決定発生器のインスタンスを有する。各インストール決定発生器は、対応するインストール決定発生器が取り付けられる対応する照明モジュールの対応するプログラマブルコントローラにおけるプログラムのインストールを開始するためのプログラム・インストール決定を生成する。従って、この任意の実施例によれば、前記特定の照明モジュール内に設けられている前記インストール決定発生器は、前記特定の照明モジュールがプログラムのインストールを開始するかどうかを決定し、前記隣接する照明モジュール内に設けられている前記インストール決定発生器の他のインスタンスは、前記隣接する照明モジュールがプログラムのインストールを開始するかどうかを決定する。この任意の実施例によれば、これら２つのインストール決定発生器は、独立に動作し得るが、後述されるように、互いに同調して二者択一的に（alternatively）動作しても良い。
【００２６】
任意には、前記特定の照明モジュール及び前記隣接する照明モジュールそれぞれの前記インストール決定発生器は、対応するネットワーク・インターフェースを介して互いに通信するように構成される。前記特定の照明モジュールの前記インストール決定発生器がプログラム・インストール決定を生成する場合、前記隣接する照明モジュールの前記インストール決定発生器は決定メッセージを受け取るように構成される。隣接する照明モジュールのインストール決定発生器は、前記決定メッセージが受け取られた場合、自身の対応するプログラム・インストール決定後の生成を後の時点まで延期するように構成される。前記後の時点とは、ランダムに選択された時点であっても良く、又は前記決定メッセージの受取りの時点から所定の時間間隔をおいた時点であっても良い。前記後の時点とは、一実施例において、前記特定の照明モジュールにおけるプログラムのインストールが、前記決定メッセージの受取り及び当該後の時点との間の期間に実行されることを可能にするために十分に遠い将来におけるものである。この実施例は、前記環境の一部を照明する２つの照明モジュールが同じ時点においてプログラムをインストールし始めることを防止する。従って、この実施例は、前記環境の一部が十分に照明されないことを防止する。
【００２７】
前記照明システムが２つ以上の照明モジュールを有しており、各照明モジュールが前記インストール決定発生器のインスタンスを有する場合、複数の前記インストール決定発生器は、前記決定メッセージを生成する及び受け取ることができることに留意されたい。前記複数のインストール決定発生器は、各々、後の時点を独立に生成することができ、任意の実施例においては、これらの各々は異なる時点を生成する。
【００２８】
任意には、前記特定の照明モジュール及び前記隣接する照明モジュールそれぞれのインストール決定発生器は、ネットワークを介して互いと通信するように構成される。前記隣接する照明モジュールの前記インストール決定発生器がプログラム・インストール決定を生成する場合、前記特定の照明モジュールのインストール決定発生器は決定メッセージを受け取るように構成される。前記特定の照明モジュールのインストール決定発生器は、決定メッセージが受け取られた場合、自身の対応するプログラム・インストール決定の生成を延期するように構成される。
【００２９】
任意には、前記照明システムは、中央ユニットを有し、当該中央ユニットは、当該中央ユニットがネットワークを介して照明システムの照明モジュール及び装置と通信することを可能にするためのネットワーク・インターフェースを有する。前記中央ユニットは、前記インストール決定発生器を有する。前記中央ユニットは、生成されたプログラム・インストール決定を、（ネットワークを介し）対応するネットワーク・インターフェースを介して前記特定の照明モジュールに伝達するように構成される。従って、この任意の実施例によれば、前記照明モジュールの制御は、前記照明モジュール自体に分配されるのではなく、前記中央ユニット内に設けられることが可能である。このような状況において、前記インストール決定発生器が中央ユニット内に配されることは合理的である。１つの照明モジュールが前記中央ユニットと結合されることができ、他の実施例においては、前記中央ユニットが照明性能を備えない別個の装置であることに留意されたい。前記中央ユニットは、当該照明システムのトポロジに関する知識を有して予めプログラムされることができ、このことは、前記中央ユニットが、当該照明システムのどの照明モジュールが前記特定の照明モジュールの隣接する照明モジュールであるかに関する知識を有することを意味する。この任意の実施例において、前記インストール決定発生器は、前記中央ユニットからこの情報を取得することができる。前記中央ユニットは、当該中央ユニットが照明システムの照明モジュールの照明レベルを制御することができるので、前記隣接する照明モジュールに関する動作上の情報を有することもできる。この任意の実施例において、前記インストール決定発生器は、中央ユニットから前記動作上の情報を取得することができる。
【００３０】
任意には、前記特定の照明モジュールは前記命令発生器を有し、前記特定の照明モジュールは、生成された発光適応命令を（ネットワークを介し）自身の対応するネットワーク・インターフェースを介して前記隣接する照明モジュールに伝達するように構成される。
【００３１】
任意には、前記隣接する照明モジュールは、前記命令発生器を有する。
【００３２】
任意には、前記照明システムは、中央ユニットを有し、前記中央ユニットは前記命令発生器を有し、前記中央ユニットは、生成された発光適応命令を（ネットワークを介し）自身の対応するネットワーク・インターフェースを介して前記隣接する照明モジュールに伝達するように構成される。
【００３３】
任意には、前記動作上の情報は、対応する光源により発される光の量を、前記動作上の情報が取得される時点における前記光源による実際の発光と比較して変化させるために、前記隣接する照明モジュールの性能に関する情報を有する。前記インストール決定発生器は、前記動作上の情報が、特定の照明モジュールによるプログラムのインストールの間、前記隣接する照明モジュールが前記特定の照明モジュールの発光を補償することができると示す場合にのみ、前記プログラム・インストール決定を生成する。発される光の量を変化させることは、前記隣接する照明モジュールが、発される光の量を減少させることができる及び／又は前記隣接する照明モジュールが発される光の量を増大させることができるということであることに留意されたい。前記動作上の情報は、発される光の量が（最大には）どれくらい増大される又は減少することができるかについて示していても良い。前記動作上の情報は、前記動作上の情報が取得される時点において発されている特定の色分布の性能に関するものであっても良い。代替的には又は更には、前記動作上の情報は、前記隣接する照明モジュールがアップデートされたソフトウェアをインストールしているかどうか、又は前記隣接する照明モジュールが通常動作にあるかどうかを示すこともできる。
【００３４】
任意には、前記命令発生器は、前記特定の照明モジュールにおけるプログラムのインストールの間、前記特定の照明モジュールの発光に関する知識を取得する又は記憶するように構成される。前記命令発生器は、前記環境の一部の所望の照明に関する情報を取得する又は記憶するように構成され、前記命令発生器は、前記特定の照明モジュールがプログラムをインストールする場合、前記環境の一部の照明がどれだけ前記環境の一部の所望の照明から逸脱するかを計算するように構成される。計算された逸脱は、発光適応命令の示された所望の変化を生成するように使用される。「特定の照明モジュールにおけるプログラムのインストール間の前記特定の照明モジュールの発光に関する知識」とは、例えば、前記特定の照明モジュールが、前記プログラムのインストールの間、完全に自身の光源のスイッチを切るかどうか、又は前記光源が、当該インストール工程の間、どの特定の発光レベルに留まるかである。上述において「知識を取得する又は記憶する」なる語が、使用されている。このことは、特定のユニットが、自身の内部メモリに記憶されているこの情報を有している（又は、当該情報は自身のハードウェア内にハードコードされる）、又は特定のユニットが、照明システム内の他の装置からの特定の知識を要求する及び受け取ることができることを意味する。他の装置とは、例えば、照明システム内の中央ユニット、又は照明システムの具体的な照明モジュールである。
【００３５】
任意には、照明システムは、前記環境の一部の所望の照明を決定する所望照明決定器を有する。ここで、前記特定の照明モジュール及び前記隣接する照明モジュールのうちの少なくとも一方は、人々が前記特定の照明モジュール及び前記隣接する照明モジュールの少なくとも一方の光源により照明される領域に存在するかどうかを検出するための占有センサを有する。前記所望照明決定器は、前記占有センサにより検出される情報に依存して前記環境の一部の所望の照明を適応化するように構成される。従って、前記照明システムは、占有センサにより観察される領域内の人々の存在に依存する動的な振る舞いを示す。この任意の実施例において、前記環境の一部の所望の照明は、突然、人が存在する場合又は暫くして人がもう存在しない場合に、適応化される。前記インストール決定発生器及び前記命令発生器が前記所望の照明の条件を考慮するので、この任意の実施例の照明システムは、前記特定の照明モジュールのソフトウェアがアップデートされなければならない場合においてさえも、人の存在に依存した動的な振る舞いを提供することができる。
【００３６】
任意には、前記所望照明決定器は、前記インストール決定発生器に前記環境の一部の所望の照明を供給するように構成される。前記照明システムが命令発生器も有する場合、前記所望照明決定器は、前記環境の一部の所望の照明を前記インストール決定発生器及び前記命令発生器に供給するように構成される。前記所望照明決定器、前記命令発生器及び前記インストール決定発生器は、異なる装置内に配されることができ、従って、特定の実施例において、決定された前記所望の照明は、ネットワークを介して対応する装置及び／又はユニットに伝達されることができることに留意されたい。
【００３７】
任意には、前記特定の照明モジュールは、前記所望照明決定器を有する。
【００３８】
任意には、前記隣接する照明モジュールは、前記所望照明決定器を有する。
【００３９】
任意には、前記照明システムが中央ユニットを有する場合、前記中央ユニットは、所望照明決定器を有する。
【００４０】
本発明の他の見地によれば、当該照明システムの特定の照明モジュールのプログラマブルコントローラにおけるプログラムのインストールを開始する方法が、提供される。前記特定の照明モジュールは、照明システム内の隣接する照明モジュールを有する。前記隣接する照明モジュールは、前記特定の照明モジュールと共に環境の一部を照明する。当該方法は、ｉ）前記隣接する照明モジュールの発光動作に関する動作上の情報を取得するステップと、ｉｉ）前記特定の照明モジュールのプログラマブルコントローラにおけるプログラムのインストールを開始するのプログラム・インストール決定を生成するステップであって、前記プログラム・インストール決定の生成は、前記プログラムがインストールされている期間において、前記環境の一部の照明が前記環境の一部の所望の照明に十分に近いものであることを可能にするように、取得された前記動作上の情報を有する情報に基づいている、ステップと、ｉｉｉ）前記プログラム・インストール決定が生成された場合、前記特定の照明モジュールのプログラマブルコントローラにおけるプログラムのインストールを開始するステップと、を有する。
【００４１】
任意には、当該方法は、どの照明モジュールが前記特定の照明モジュールに対して隣接する照明モジュールであるかに関する情報を取得する段階を有する。
【００４２】
本発明の更なる見地によれば、プロセッサ・システムに上述の方法を実行させる指示を有するコンピュータプログラムが、提供される。前記コンピュータプログラムは、ハードディスク、フロッピー、メモリ等のような、適切な記憶媒体に記憶されることができる。前記コンピュータプログラムは、有線若しく無線に沿って、又は、インターネットのようなデータネットワークを使用して、信号として送信されることができる。前記コンピュータプログラムは、ダウンロード及び／又はサーバ上の遠隔使用のために利用可能なものにされることもできる。
【００４３】
本発明の見地による方法及びコンピュータプログラムは、本発明の第１の見地による照明システムと同じ利点を提供し、当該システムの対応する実施例と類似の効果を有する類似の実施例を有する。
【００４４】
本発明のこれら及び他の見地は、以下に記載される実施例を参照して明らかになり説明されるであろう。
【００４５】
当業者であれば、上述の選択肢、実施化及び／又は本発明の見地の２つ以上が、有用とみなされる如何なる仕方においても組み合わせられることが可能であることを理解するであろう。
【００４６】
当該システムの変更及び変形、当該システムの上述の変更及び変形に対応する方法及び／又はコンピュータプログラムは、当業者によって、本明細書に基づいて実施されることができる。
【図面の簡単な説明】
【００４７】
【図１】本発明の第１の見地による照明システムの実施例を模式的に示してしている。
【図２】本発明の一実施例による照明システムにより照明されるトンネルを模式的に示している。
【図３】本発明の第1の見地よる照明システムの他の実施例を模式的に示している。
【図４】照明システムの一実施例の照射パターン・チャートを模式的に示している。
【図５】照明モジュールの１つがプログラムをインストールしている一方で、他の照明モジュールは自身の照明レベルを適応させていない状況における照射パターン・チャートを模式的に示している。
【図６】プログラムのインストールが隣接する照明モジュールの性能を考慮し、隣接する照明モジュールが自身の照明レベルを適応させる、本発明の一実施例による照明システムの照射パターン・チャートを模式的に示している。
【図７】照明システムの特定の照明モジュールのプログラマブルコントローラにおけるプログラムのアップグレードを開始する方法を模式的に示している。
【発明を実施するための形態】
【００４８】
異なる図において同一符号により示されている項目は、同一の構造的なフィーチャ及び同一の機能を有している又は同一の信号であることに留意されたい。このような項目の機能又は構造は説明されてきているので、以下の記載において、これらを繰り返し説明する必要はない。
【００４９】
図面は、単に概略であり、縮尺で描かれているわけではない。明確さのために、幾らかの寸法は強く誇張されている。
【００５０】
第１の実施例が図１に示されている。図１は、本発明の第1の見地による照明システム１００の一実施例を模式的に示している。照明システム１００は、環境を照明するのに使用されることができる。環境は、屋内の空間又は屋外の空間であっても良い。屋内の空間は、住宅における部屋、オフィスにおけるもの、又は例えば建物の通路であっても良い。屋内の空間は、道路トンネルであっても良い。屋外の空間は、例えば、道路又は駐車場であっても良い。
【００５１】
照明システム１００は、ネットワーク１３０を介して互いに結合されている特定の照明モジュール１１０及び隣接する照明モジュール１２０を有する。両方の照明モジュール１１０、１２０は、光を発する光源１１８、１２８、光源の動作を制御するためのプログラマブルコントローラ１１４、１２４及びプログラマブルコントローラが前記ネットワークを介して照明システムの他の装置と通信することを可能にするネットワーク・インターフェース１１６、１２６を有する。照明モジュール１１０、１２０は、ネットワーク１３０を介して自身の対応するプログラマブルコントローラ１１４、１２４のためのプログラムを受け取ることができる。前記プログラムは、例えば、ネットワーク１３０に接続されているサーバによって、照明モジュール１１０、１２０に向かって、プッシュされ、送信される。他の実施例において、照明モジュール１１０、１２０は、アップデートされたソフトウェアが利用可能であるかどうかをサーバ上のネットワーク１３０を介して確認するように構成されており、新しいアップデートされたソフトウェアが利用可能である場合、照明モジュール１１０、１２０は、ネットワーク１３０を介して前記アップデートされたソフトウェアをダウンロードすることができる。照明モジュール１１０、１２０は、アップデートされたソフトウェアを直ちにインストールするのではなく、プログラム・インストール決定に依存して前記プログラムをインストールする。図１に関する以下の説明において、照明モジュール１１０は、「特定の照明モジュール１１０」なる語により示され、照明モジュール１２０は「隣接する照明モジュール１２０」という語により示される。特定の照明モジュール１１０及び隣接する照明モジュール１２０は、使用中、照明システム１００により照明される環境の特定の位置に配される。特定の照明モジュール１１０及び隣接する照明モジュール１２０の両方は、環境の一部を（部分的に）照明する。前記環境の一部は、特定の照明モジュール１１０の光源１１８及び隣接する照明モジュール１２０の光源１２８からの光を受け取る。それぞれの光源１１８、１２８により生成される全ての光が前記環境の一部に向かって発されなくてはならないわけではない。本発明の状況に関連する唯一の基準は、前記環境の一部に影響を与える光が両方の光源１１８、１２８から生じることであり、光源１１８、１２８の一方により発される光の量が変化する場合、前記環境の一部に影響を与える光の量も変化することである。更に、それぞれの光源１１８、１２８により発されると共に前記環境の一部に影響を与える光は、光源１１８、１２８から前記環境の一部に向かって直線状に送信されることができるが、（例えば、特定の照明モジュール及び隣接する照明モジュールが建物の通路に設けられている場合の前記通路の壁による反射のような、）反射の影響も受け得る。
【００５２】
特定の照明モジュール１１０は、特定の照明モジュール１１０におけるプログラムのインストールを開始するためのプログラム・インストール決定を生成するインストール決定発生器１１２を有する。一実施例において、インストール決定発生器１１２は、どの照明モジュールが、特定の照明モジュール１１０の隣接する照明モジュール１２０であるかに関する知識を記憶している。代替的には、この知識は、この知識がインストール決定発生器１１２において使用される時点において、取得されることもできる。前記知識の取得は、ネットワークに接続されている他の装置からの情報を要求することによってなされることもでき、又は具体的な隣接発見プロトコルが隣接する照明モジュール１２０を発見するために実行される。インストール決定発生器１１２は、隣接する照明モジュール１２０の発光動作に関する動作上の情報も取得する。前記動作上の情報は、例えば、隣接する照明モジュール１２０によって現在発されている光の色及び／又は発光レベルに関する情報を有し得て、例えば、隣接する照明モジュール１２０が発光を変化させることができる程度（低い／高い光強度、他の色等）に関する情報を有する。インストール決定発生器１１２は、前記環境の一部の照明が、プログラムのインストールの間、所望の照明に十分に近いものであることを可能にするように、プログラム・インストール決定を、取得された前記動作上の情報に基づかせる。つまり、利用可能であるように望まれる照明は知られており（例えば、最小限の照明レベル）、インストール決定発生器１１２は、特定の照明モジュール１１０の光源１１８の発光によって何が生じるかを知っていると共に、自身の発光を変化させる又は適応させるための隣接する照明モジュールの１２０の性能も知っているので、インストール決定発生器１１２は、プログラム・インストール決定をすることが前記環境の一部の不十分な照明を生じるかどうかを推定することができる。この場合、インストール決定発生器１１２は、特定の照明モジュール１１０におけるプログラムのインストールを開始しないことを決定する。しかしながら、インストール決定発生器１１２が前記環境の一部の照明が不十分ではないということを知っている場合（例えば、光源１１８が特定の照明モジュール１１０におけるプログラムのインストールの間にスイッチを切られる場合、隣接する照明モジュール１２０が前記環境の一部の照明の損失を補償することができるので）、プログラム・インストール決定が生成される。
【００５３】
上述の議論においては、インストール決定発生器１１２は、プログラムのインストールの開始が前記環境の一部の不十分な照明をもたらすか否かについて推定することができると述べられたことに留意されたい。このことを推定するために利用可能な情報は、少なくとも１つの隣接する照明モジュールの動作上の情報と、特定の照明モジュール１１０がアップデート・プログラムをインストールする時間間隔における特定の照明モジュール１１０の振る舞いに関する知識とに基づいて、どの照明モジュールが、前記環境の一部に向かって特定の照明モジュール１１０と共に光を発するかに関する知識である。この推定は、インストール決定発生器１１２に予めプログラムされている幾らかの比較的単純な規則の利用に基づくことができ、このような規則は、例えば、照明システムが取り付けられた時点において推論され（deducted）、前記規則は、特定の照明モジュール１１０及び／又は隣接する照明モジュール１２０が対応する光源１１８、１２８の発光を変化させる場合に前記環境の一部の照明に関して何が生じるかを比較的単純な仕方において、記述している。代替的には、インストール決定発生器１１２は、前記利用可能な情報に依存して、どれくらいの光が前記環境の一部に影響を与えるかを記述しているよく知られている光学公式を利用する一種の光学的シミュレータを有する。本発明は、前記環境の一部の照明を推定する特定の方法に限定されるものではなく、利用可能な情報に依存して前記環境の一部の照明を推定するために、当業者によって知られている他の技術も、同様に使用されることができる。
【００５４】
一実施例において、隣接する照明モジュール１２０は、隣接する照明モジュール１２０のための発光適応命令を生成する命令発生器１２２を有する。生成された適応命令は、特定の照明モジュールに対するプログラムのインストールの間、当該プログラムのインストールの間の前記環境の一部の所望の照明に十分に近いものである前記環境の一部の照明が得られるように、特定の照明モジュール１１０の発光レベルを補償するために、隣接する照明モジュール１２０の発光の所望の変化を示している。従って、インストール決定発生器及び命令発生器の両方は、前記環境の一部が不十分に照明されることにならないことを達成するために貢献する。不十分とは、照明が所望の光照明に十分に近くないことを意味しており、従って、不十分な照明とは、前記照明が明る過ぎる又は低過ぎることも意味し得ることもあり得ることに留意されたい。
【００５５】
一実施例において、インストール決定発生器１１２及び命令発生器１２２は互いに結合されている。図１の実施例において、これらは、ネットワーク１３０を介して互いと通信することができる。インストール決定発生器１１２及び命令発生器１２２は、動作上の情報を共有し、プログラム・インストール決定の生成と前記環境の一部の十分な照明を得るための発光適応命令の生成において協働する。特定の照明モジュール１１０におけるアップデート・プログラムのインストールが開始する時点を調整すると共に、隣接する照明モジュール１２０の光源１２８の発光を制御することによって、前記環境の一部に関する最良の照明が、前記プログラムが特定の照明モジュール１１０において、インストールされている期間に得られることが可能である。
【００５６】
一実施例において、隣接する照明モジュール１２０も、インストール決定発生器１２３のインスタンスを有する。インストール決定発生器１２３は、特定の照明モジュール１１０のインストール決定発生器１１２と同じ特性を有しており、この違いは、インストール決定発生器１２３は、特定の照明モジュール１１０において、ではなく、隣接する照明モジュール１２０におけるプログラムのインストールを開始するためのプログラム・インストール決定を生成することである。インストール決定発生器１１２、１２３は、ネットワーク１３０を介して互いに通信することができる。インストール決定発生器１１２、１２３の第１のものがプログラム・インストール決定を生成する場合、インストール決定発生器１１２、１２３の他のものは、インストール決定発生器１１２、１２３の前記第１のものから決定メッセージを受け取る。前記決定メッセージは、プログラム・インストール決定が生成されていることと、前記決定メッセージが生じている照明モジュールが前記プログラムのインストールを開始することを示している。インストール決定発生器１１２、１２３の一方は決定メッセージを受け取った場合、自身のプログラム・インストール決定の生成を後の時点まで延期する。前記後の時点は、ランダムに生成された時点に基づいて決定されても良く、又は前記決定メッセージが受け取られた時点に所定の期間を加えることに基づくものであっても良い。一実施例において、前記後の時点は、プログラムのインストールが開始されている前記照明モジュールが、前記後の時点より前に前記プログラムのインストールを終了することができる十分に遠い未来におけるものであっても良い。
【００５７】
特定の照明モジュール１１０及び／又は隣接する照明モジュール１２０は、人が前記環境の一部内又はこの近くに存在するかどうかを検出する占有センサ１１９、１２９を有していても良い。占有センサ１１９、１２９の情報は、対応する照明モジュール１１０、１２０により共有されることができる。一例において、特定の照明モジュール１１０は、所望照明決定器１１３を有する。所望照明決定器１１３は、環境の一部の所望の照明を決定し、前記所望の照明は、占有センサ１１９、１２９のうちの少なくとも一方により検出される情報に依存して適応化される。例えば、人々が前記環境の一部内又はこの近くに存在する場合、所望の照明レベルが増大される、又は前記一部の照明の所望の色が変化される。所望照明決定器１１３は、生成された所望の照明をインストール決定発生器１１２、１２３及び／又は命令発生器１２２と共有する。
【００５８】
特定の照明モジュール１１０及び隣接する照明モジュール１２０の異なるサブシステムが、サブシステムの特定の連鎖において互いに接続されることに留意されたい。描かれている接続は、単に典型的な接続であり、特定の実施化において、サブシステム間の他の接続も設けられることができ、２つの他のサブシステム間にあるサブシステムは、前記２つの他のサブシステム間でデータを送信することができる。
【００５９】
照明システム１００は、各照明モジュール１１０、１２０を制御する中央エンティティを有していないことに留意されたい。照明システム１００において、各照明モジュール１１０、１２０は、或るレベルまで独立しており、光源１１８、１２８を制御するために自身のプログラマブルコントローラ１１４、１２４において及び照明モジュール１１０、１２０の他のサブシステムにおいてアルゴリズムを実行する。従って、当該環境の照明の制御は、異なる照明モジュール１１０、１２０間に分配される。従って、各照明モジュール１１０、１２０は、前記環境の一部の所望の照明が保証されることができるように少なくとも隣接する照明モジュールと通信することができる。一実施例において、照明モジュール１１０、１２０は、ステータス情報及び自身のステータスを変化させるための性能に関する情報を共有する。前記ステータスとは、光源１１８、１２８の実際の発光でも良く、又は、「現在、プログラムのインストール中」又は「現在、通常動作中」のような動作上のステータスであっても良い。自身のステータスを変化させる性能は、「インストールが特定の時点に終了される」又は「光強度レベルは、０％から１００％の強度まで間隔内のレベルに適応化されることができる」等に関する情報を有し得る。
【００６０】
様々な実際の実施例において、全ての照明モジュール１１０、１２０は、インストール決定発生器のインスタンス、命令発生器のインスタンス、占有センサ、及び前記所望照明決定器のインスタンスを有する。これらのユニットは照明装置１１０、１２０のプログラマブルコントローラ１１４、１２４とは別に議論されるが、これらのユニットはプログラマブルコントローラ１１４、１２４と組み合わされることができる。例えば、プログラマブルコントローラ１１４、１２４は、インストール決定発生器、命令発生器及び所望照明決定器のうちの少なくとも１つの機能を実行するようにとの指示を含むコンピュータプログラム・コードを実行することができる。
【００６１】
図２は、本発明による照明システムにより照明されるトンネル２００の３次元図を模式的に示している。トンネル２００は、例えば、車が道路トンネル中で安全に運転することができるように道路の最小限の照明を必要とする道路トンネルである。代替的には、同じ描写（picture）が、例えば、建物の通路における照明システムの使用を示すために使用されることができる。前記通路は、例えば、ホテルの複数の部屋が位置されているホテルの通路であり、当該通路は所望の照明レベルに従って照明されなければならず、特に、人々が、前記通路内に居る場合に十分に高い照明レベルを有さなければならない。当該図に関する議論において、「トンネル２００」なる語が使用されるが、「トンネル」の代わりに「通路」なる語が同様に使用されることもできる。トンネル２００の天井２０２に照明器具２０４、２０６が設けられており、当該照明器具２０４、２０６は、各々、本発明による照明システムの照明モジュールを有する。例えば、前記照明モジュールは、図１の照明システム１００の、又は図３の照明システム３００の照明モジュールである。第１の照明器具２０４は特定の照明モジュールを有し、第２の照明器具２０６は隣接する照明モジュールを有する。照明システムは、トンネル２００の道路２０８を照明する。特定の照明モジュールは道路２０８の部分２１０を照明し、隣接する照明モジュールは道路２０８の他の部分２１４を照明する。両方の部分２１０、２１４の共通部分２１２は、特定の照明モジュール及び隣接する照明モジュールにより照明される前記環境の一部である。実際の実施例においては、道路２０８の照明された部分２１０、２１４は、部分２１０、２１４の境界に向かって照明レベルがゆっくりと減少するので、線を描くことによって正確に示されることはできないことに留意されたい。つまり、部分２１０、２１４の境界は、最大の照明から照明がない状態までの落ち着いた遷移（soft transition）により形成される。従って、前記環境の一部の境界は、落ち着いた遷移の領域を示している。
【００６２】
図３は、本発明の第1の見地による照明システム３００の他の実施例を模式的に示している。照明システム３００は、図１の照明システム１００と類似している。しかしながら、照明システム３００は、照明システム３００を制御する中央ユニット３４０を有する。照明モジュール３１０、３２０は、ネットワーク・インターフェース１１６、１２６、プログラマブルコントローラ１１４、１２４及び光源１１８、１２８を有する。任意には、照明モジュール３１０、３２０の一方又は両方は、占有センサ（図示略）を有する。照明モジュール３１０、３２０のこれらの要素の詳細は、図１の状況において先述されている。照明モジュール１１０、１２０内に設けられていた照明システム１００の他のモジュールは、中央ユニット３４０内に設けられている照明システム３００内にある。中央ユニット３４０は、少なくとも、これにより中央ユニット３４０が照明システム３００の照明モジュール３１０、３２０と通信することができるネットワーク・インターフェース３４２を有する。中央ユニット３４０内に設けられ得る他のユニットは、インストール決定発生器３４４、命令発生器３４６、及び、例えば、所望照明決定器３４８である。中央ユニット３４０が照明システム３００内に設けられているので、照明システム３００は中央制御されており、当該照明システムのトポロジに関する全ての知識（即ち、どの照明モジュールが、どこに位置されており、照明されるべき前記環境の同じ一部を照明するか）、前記照明モジュールの性能に関する知識（調光可能、等）、及び前記照明モジュールの現在の発光に関する知識等は、中央ユニット３４０自体内に存在し得る。前記トポロジ及び照明モジュールの性能に関する情報は、中央ユニットにプログラムされることができる。この情報を中央ユニット３４０にプログラムする適切な時点は、照明システムが取り付けられる又は中央装置３４０が照明システム３００において動作するように構成される時点である。
【００６３】
中央ユニット３４０は、当該プログラムをそれぞれの照明モジュール３１０、３２０に提供する／通信するユニットであっても良い。他の実施例において、照明モジュール３１０、３２０は、照明モジュール３１０、３２０がネットワーク１３０を介して到達することができるサーバからプログラムを取得する。例えば、ネットワーク１３０は、例えば、プログラムが照明モジュール３１０、３２０の製造業者により公表されるインターネットにゲートウェイ又はルータを介して結合される。
【００６４】
図３の照明システム３００は、中央制御されている。図１の照明システム１００は、対応する照明モジュール１１０、１２０によって発光を制御するように分散制御を使用している。本発明は、これら特定の極端なものの何れにも限定されるものではなく、当業者であれば、本発明の範囲内にある実施例を創出することができ、前記制御の一部はローカルに実施され、前記制御の一部は中央的に実施されることに留意されたい。
【００６５】
図４は、照明システム４００の一実施例の照射パターン・チャート４５０を模式的に示している。示されている照明システム４００は、４つの照明モジュール４０２…４０８を一列に有している。この列は、象徴的に、（照射パターン・チャート４５０の底に示される）ｘ軸を表している。提示された照明モジュール４０２…４０８は、ネットワーク１３０に結合されていると共に、図１の照明モジュール１１０、１３０と同じ特性を有している。代替的には、提示された照明モジュール４０２…４０８は、照明システム４００も図３の状況において議論された中央ユニット（今示された）有することが仮定される場合、図３の照明モジュール３１０、３３０と同じ特性を有する。この例において、通常の動作中、即ち照明モジュールが自身のプログラマブルコントローラのためのプログラムをインストールしていないとき、照明モジュール４０２…４０８の各々は、自身の最大発光性能の６０％において発光する。このことは、前記照明モジュールの発光は、必要とされる場合、４０％増大される又は６０％減少されることができることを意味する。照明モジュール４０２…４０８は、自身の光の殆どを下方の方向へ発し、照明モジュール４０２…４０８により発される光ビームの足跡は、部分的に重複している。この重複は、一列における１つ以上の後続する照明モジュールの正確に下方における位置に向かって又は前記位置を超えて延在し得る。照明モジュール４０２…４０８が特定の空間の天井に設けられており、天井に対向する床に向かって光を発すると仮定される場合、床において、照明モジュール４０２…４０８の列の正確に下にある線に沿って、前記線に沿った位置において床に影響を与える光強度Ｉを測定することが可能である。測定された光強度Ｉは、照射パターン・チャート４５０の線４５２により示されている。各照明モジュール４０２…４０８の下で、この照明の強度は、２つの照明モジュール４０２…４０８間におけるものよりも高い。照射パターン・チャート４５０において、（最小限の）所望の照明強度Ｉｍｉｎが示されている。先に、照射パターン・チャートが測定されることは述べられた。しかしながら、このような照射パターン・チャートは、照明システムのトポロジ及び照明モジュールの動作上の情報に関する利用可能な知識に基づいてシミュレーションされる、計算される及び／又は推定されることもできる。例えば、インストール決定発生器及び／又は命令発生器は、前記環境の一部の照明が所望の照明に十分に近いかどうかを決定するために、照射パターン・チャートをシミュレーションする、計算する又は推定する。
【００６６】
図５は、１つの照明モジュール４０６が当該プログラムをインストールしていると共に、他の照明モジュール４０２、４０４、４０８が自身の発光レベルを適応させていない状況における照明システム４００の照射パターン・チャート４５０を模式的に示している。図５に示されている情報は、プログラムをインストールするための決定がこのアプリケーションの本発明の特性に基づいていなかった状況に関するものであることに留意されたい。示された例において、照明モジュール４０６がプログラムをインストールするとき、照明モジュール４０６は動作可能でなく、自身の光源のスイッチを切る。従って、最大光強度の０％が発される。他の照明モジュール４０２、４０４、４０８は、自身の最大強度レベルの６０％で発光しているままである。従って、照明パターン・チャート４５０において、線４５４で示されているように、床に影響を与える光強度Ｉは、依然、照明モジュール４０２、４０４、４０８の下において、所望の照明強度Ｉｍｉｎよりも高い一方で、位置４５５において示されているように、床に影響を与える光強度Ｉは、照明モジュール４０６の下において低過ぎる。本発明によれば、他の照明モジュール４０２、４０４、４０８が自身の光発光の強度を適応化させないことが知られていた場合、照明モジュール４０６におけるプログラムのインストールを開始するという決定はされなかった、又は照明モジュール４０６がプログラムをインストールしている期間における光の損失を補償するように、隣接する照明モジュール４０４、４０８のうちの少なくとも１つが自身の発光の強度を適応化させたであろう。後者の状況が、図６に示されている。
【００６７】
図６は、当該プログラムのインストールが隣接する照明モジュール４０４、４０８の性能を考慮している場合、かつ、隣接する照明モジュール４０４、４０８がまさに自身の照明レベルを適応させている場合の照明システムの実施例の照明パターン・チャート４５０を示している。照明システム４００において、少なくとも１つのインストール決定発生器及び少なくとも１つの命令発生器が設けられており、これらの２つのユニットは、隣接する照明モジュール４０４、４０８照明の光強度が自身の最大の９０％まで増大されるような仕方において協働し、照明パターン・チャート４５０において、位置４５５（照明モジュール４０６の下）において、床における光強度Ｉが（最小限の）所望の照明強度Ｉｍｉｎよりも高いことが線４５６により示されている。
【００６８】
図７は、照明システムの特定の照明モジュールのプログラマブルコントローラにおけるプログラムのアップグレードを開始する方法７００を模式的に示している。特定の照明モジュールは、前記特定の照明モジュールと共に前記環境の一部を照明する照明システム内の隣接する照明モジュールを有する。方法７００は、どの照明モジュールが、前記特定の照明モジュールに対して隣接する照明モジュールであるかに関する情報を取得する任意の段階のステップ７０２を有しており、当該方法７００は、ｉ）隣接する照明モジュールの発光動作に関する動作上の情報を取得するステップ７０４、ｉｉ）前記特定の照明モジュールのプログラマブルコントローラにおけるプログラムのインストールを開始するためのプログラム・インストール決定を生成するステップであって、前記プログラム・インストール決定の生成は、前記プログラムがインストールされている期間において、前記環境の一部の所望の照明に十分に近いものであるような前記環境の一部の照明を可能にするために取得された前記動作上の情報を含む情報に基づいている、ステップ、及びｉｉｉ） 前記プログラム・インストール決定が生成されたとき、前記特定の照明モジュールのプログラマブルコントローラにおけるプログラムのインストールを開始するステップ７０８の段階を有する。
【００６９】
要約すると、環境を照明するための照明システムと照明モジュールのプログラマブルコントローラにおけるプログラムのインストールを開始する方法とが、提供される。前記照明システムは、特定の照明モジュール、隣接する照明モジュール及びインストール決定発生器を有している。環境の一部は、両方の照明モジュールにより照明される。両方の照明モジュールは、プログラマブルコントローラを有しており、ネットワーク・インターフェースを介して、プログラマブルコントローラにおいてインストールされるべきであるプログラムを受け取ることができる。インストール決定発生器は、隣接する照明モジュールの発光性能が、前記環境の一部の照明が、前記一部の所望の照明に十分に近いものであることを可能にするかどうかに関する動作上の情報に基づいて、特定の照明モジュール上のプログラムのインストールが開始されることができるかどうかを決定する。
【００７０】
上述の実施例は、本発明を制限するというよりは、むしろ説明しているものであり、当業者であれば、添付の請求項の要旨を逸脱することなく多くの代替的な実施例を設計することができることに留意されたい。
【００７１】
前記請求項において、括弧内に配されている如何なる符号も、前記請求項を制限するものとして解釈されてはならない。「有する」なる語の使用は、添付の請求項において、述べられているもの以外の要素又はステップの存在を除外するものではない。単数形の構成要素は、複数の構成要素の存在を排除するものではない。本発明は、幾つかの別の要素を有するハードウェアによって及び最適にプログラムされたコンピュータによって実施化されることもできる。幾つかの手段を列挙している装置の請求項において、これらの手段の幾つかがハードウェアの全く同一の項目により実施されることもできる。或る手段が相互に異なる従属クレームにおいて詳述されるという単なる事実は、これらの手段の組合せが有効に使用されることができないことを示すものではない。
【図１】
0005867888.tif 000002
【図２】
0005867888.tif 000003
【図３】
0005867888.tif 000004
【図４】
0005867888.tif 000005
【図５】
0005867888.tif 000006
【図６】
0005867888.tif 000007
【図７】
0005867888.tif 000008